(57)【要約】【課題】異なる種別ないしサイズとなる記録材に対し画像形成を行おうとする際に、その操作性に優れた画像形成装置を提供する。【解決手段】本発明に係る画像形成装置は、サイズ情報入力手段により入力されたサイズ情報及び種別入力手段により入力された記録材の種別情報を、手差トレイに対応づけて記憶する不揮発メモリと、ＪＯＢの設定に際して操作・表示部に表示された手差トレイに相当する部分が選択されると、手差トレイに対応づけて不揮発メモリに記憶されているサイズ情報及び記録材の種別情報に応じた画像形成を行うべく画像形成部を制御する制御手段と、  を有する。【選択図】図１
2011037273.tif 000002
【特許請求の範囲】
【請求項１】
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部における基本画面に表示された手差トレイに相当する部分の押圧により表示される手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
前記手差設定画面から非定形記録材のサイズ情報と記録材の種別情報とが入力された後に前記基本画面に戻ると、前記基本画面に表示された前記手差トレイに相当する部分に、前記手差設定画面から入力された非定形記録材の前記サイズ情報と前記記録材の種別情報とを表示すべく前記操作・表示部を制御する制御手段と、
を有することを特徴とする画像形成装置。
【請求項２】
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部に表示された手差トレイに相当する部分の押圧により表示される手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
ＪＯＢの設定に際して前記操作・表示部に表示された前記手差トレイに相当する部分が選択されると、前記手差トレイに対応づけて前記不揮発メモリに記憶されている前記サイズ情報及び前記記録材の種別情報に応じた画像形成を行うべく前記画像形成部を制御する制御手段と、
を有することを特徴とする画像形成装置。
【請求項３】
前記手差トレイに対応づけて前記不揮発メモリに記憶された前記サイズ情報及び前記記録材の種別情報は、前記サイズ情報入力手段又は前記種別入力手段により新たなサイズ情報又は記録材の種別情報が入力されるまで、前記不揮発メモリに保存され続けることを特徴とする請求項１又は２に記載の画像形成装置。
【発明の詳細な説明】
【技術分野】
【０００１】
本発明は画像形成装置に関し、特に、様々な種別ないしはサイズとなる記録材に画像を形成するに際し、その操作性を向上させた画像形成装置に関するものである。
【背景技術】
【０００２】
従来の画像形成装置として、給紙カセットより給紙される転写紙（記録材）に対して画像を形成するものが提供されている。より具体的には、プラテンガラス上に原稿を載置ないしは供給し、この原稿に描かれた文字列若しくは絵柄又はこれらの結合等の画像を上記転写紙に複写する複写機や、例えばパソコンのワープロ上等で作成された上記と同様な画像を転写紙に印刷するプリンタ、また、通信回線等を介して送信されてくる上記と同様な画像を印刷するファクシミリ等が、画像形成装置として認識されるものである。
【０００３】
このような画像形成装置においては、上記給紙カセットが存在することにより、転写紙を当該給紙カセット内に予め複数枚準備しておくことが可能となるから、外部から一々転写紙を供給する必要がないばかりか、比較的大量の転写紙に上記画像を連続して形成することも可能となる。
【０００４】
また、給紙カセットを複数設けるような画像形成装置も既に提供されており、この場合においては、各給紙カセットに、様々な種別やサイズとなる、複数種類の転写紙を予め用意しておくことが可能である。
【発明の概要】
【発明が解決しようとする課題】
【０００５】
ところで、上記のように、各給紙カセット毎に種別やサイズが特殊な転写紙を載置する場合においては、従来、次のような問題があった。すなわち、異なる種別やサイズの転写紙に対して画像形成を行う場合、一般に、それら種別やサイズの別毎に、画像形成装置全体の制御条件、すなわち紙搬送条件やプロセス条件等を変更しなければならないが、従来において、特殊な種別の紙や特殊なサイズの紙に画像形成する場合は、このような条件変更に対しては、画像形成を行うに先立ち、特別に「モード設定」等の操作を行って対応する手法に拠っていた。したがって、一般に普通紙と呼ばれる転写紙とは異なる転写紙に対応しようとする場合においては、画像形成装置の操作に、手間がかかることとなるし、また、該操作は、一般に繁雑でもあるから、その操作性に関し、問題があった。
【０００６】
例えば、転写紙のサイズに関し、「不定形サイズ」となる転写紙に画像形成を行おうとする場合には、画像形成を行うに先立ち、当該転写紙に関する縦横のサイズ等を入力することが可能な「不定形サイズ入力モード」を選択し、上記条件等を入力しなければならなかった。この点においては特に、そもそも「不定形サイズ」を使用するユーザは、常に、当該不定形サイズによる画像形成を行うといった使用形態となる場合が多いことを鑑みるに、その際、上記したようなモード設定を一々行うのでは、効率の点で非常に問題があるといえる。
【０００７】
また、より簡便には、定形サイズ以外の転写紙については、一様に、「スペシャル・サイズ」なる扱いによって一纏めに括り、結果としては、例えば「最大サイズ」に関する制御条件を一様に適用することで、「不定形サイズ」に関する画像形成を図るような場合もあった。しかしながら、このような手法では、最適な画像形成を望むには遠く、その点に課題があった。
【０００８】
また、種別が異なる場合においても、基本的には上記「サイズ」に関すると同様で、例えば「厚紙」「薄紙」等のモードや、より一般に「応用モード」等を設け、画像形成に先立ち、当該モードに関する設定画面等から、上記制御条件を定めるに必要な情報を入力しなければならなかった。
【０００９】
本発明は、上記事情に鑑みてなされたものであり、その目的とするところは、異なる種別ないしサイズとなる転写紙に対し画像形成を行おうとする際に、その操作性に優れた画像形成装置を提供することにある。
【課題を解決するための手段】
【００１０】
本発明の目的は下記の発明により達成される。
１．
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部における基本画面に表示された手差トレイに相当する部分の押圧により表示される手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
前記手差設定画面から非定形記録材のサイズ情報と記録材の種別情報とが入力された後に前記基本画面に戻ると、前記基本画面に表示された前記手差トレイに相当する部分に、前記手差設定画面から入力された非定形記録材の前記サイズ情報と前記記録材の種別情報とを表示すべく前記操作・表示部を制御する制御手段と、
を有することを特徴とする画像形成装置。
２．
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部に表示された手差トレイに相当する部分の押圧により表示される手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
ＪＯＢの設定に際して前記操作・表示部に表示された前記手差トレイに相当する部分が選択されると、前記手差トレイに対応づけて前記不揮発メモリに記憶されている前記サイズ情報及び前記記録材の種別情報に応じた画像形成を行うべく前記画像形成部を制御する制御手段と、
を有することを特徴とする画像形成装置。
３．
前記手差トレイに対応づけて前記不揮発メモリに記憶された前記サイズ情報及び前記記録材の種別情報は、前記サイズ情報入力手段又は前記種別入力手段により新たなサイズ情報又は記録材の種別情報が入力されるまで、前記不揮発メモリに保存され続けることを特徴とする前記１又は２に記載の画像形成装置。
【００１１】
ここで、「非定形サイズ」とは、「定形サイズ」（たとえば、Ａ４、Ａ３、Ｂ５、Ｂ４、８．５×１１ｉｎｃｈ、１１×１７ｉｎｃｈなどがあり、それぞれ、縦長、横長がある）でないサイズのことであり、少なくとも記録材の搬送方向（以下、「縦方向」）の長さであればよいが、搬送方向に直交する方向（以下、「横方向」）の長さを含めた方が好ましい。また、「定形サイズ」を具体的に言えば、定形サイズ検出部が、記録材のサイズが複数の定形サイズのうちいずれの定形サイズに該当することを検出できる定形サイズである。例えば、日本及び欧州仕様においては、Ａ４、Ａ３、Ｂ５、Ｂ４などを「定形サイズ」といい、米国仕様においては、８．５×１１ｉｎｃｈ、１１×１７ｉｎｃｈなどを「定形サイズ」といい、それ以外の定形サイズを「特殊定形サイズ」と言う（日本及び欧州仕様においては、８．５×１１ｉｎｃｈ、１１×１７ｉｎｃｈなどであり、米国仕様においては、Ａ４、Ａ３、Ｂ５、Ｂ４などであり）が、例えば、日本及び欧州仕様においても、定形サイズ検出部が８．５×１１ｉｎｃｈを検出できるようになっていれば、それは、定形サイズである。また、本明細書のおいて、単に「サイズ」と言えば、「非定形サイズ」、「定形サイズ」を含めたものである。
【００１２】
また、「種別」とは、画像形成装置における制御条件（搬送条件やプロセス条件）が、記録材の「種別」によって変更するために、記録材の「種別」を弁別するためのである。この「種別」としては、「普通紙」（本実施の形態では、再生紙、色紙、上質紙、剥離紙も普通紙と同じ制御条件なので、これらも普通紙として取り扱うが、これらのうち、普通紙と制御条件が異なるものであれば、普通紙と弁別するため「特殊紙」として扱えば良い）と、「特殊紙」（本実施の形態では特殊紙として、「普通紙」と制御条件の異なる厚紙、薄紙、第２原紙、ＴＡＢ紙、ＯＨＴなどがあり、これらそれぞれにおいても制御条件が異なる）とがある。
【発明の効果】
【００１３】
以上説明したように、本発明の画像形成装置によれば、複数の記録材収納部毎に、種別及び非定形サイズの設定情報が設定され、これら複数の記録材収納部のうちの一の記録材収納部が選択されると、当該一の記録材収納部に付されている設定情報に基づいて、制御条件が自動的に選択・決定され、かつ当該制御条件の適用を受けて画像形成が行われるから、従来のように、種別やサイズが相違する度に、モード設定等の手法によって画像形成を行っていた点に比べ、その操作性が各段に向上されている。
【００１４】
また、本発明の画像形成装置によれば、記録材収納部に設定された設定情報に該当しない記録材上に画像形成を行う場合においては、手差トレイを利用することにより、画像形成することができる。より具体的には、前記手差トレイ上の記録材に画像形成を行う際に、記録材の種別又は／及びサイズの設定情報を設定する設定画面が、表示されることにより、当該設定情報を入力でき、その情報に基づき前記制御条件が選択・決定されることにより、そのような臨時の画像形成を実施することができる。
【図面の簡単な説明】
【００１５】
【図１】本実施形態に係る画像形成装置の構成例を示す概要図である。
【図２】図１に示す画像形成装置の画像読取部における原稿サイズ検知手段  （光学式原稿サイズセンサ）を示す説明図である。
【図３】本実施形態に係る画像形成装置の電気的構成例を示す概要図である。
【図４】操作部・表示部における基本画面を示す図である。
【図５】操作・表示部における紙種類設定画面を示す図である。
【図６】操作・表示部における特殊サイズ設定画面（定形サイズ）を示す図である。
【図７】操作・表示部における特殊サイズ設定画面（定形特殊サイズ）を示す図である。
【図８】操作・表示部における特殊サイズ設定画面（不定形サイズ）を示す図である。
【図９】操作・表示部における特殊サイズ設定画面（ワイド紙、サイズ選択）を示す図である。
【図１０】操作・表示部における特殊サイズ設定画面（ワイド紙、サイズ入力）を示す図である。
【図１１】操作・表示部における手差設定画面（定形サイズ）を示す図である。
【図１２】操作・表示部における手差設定画面（定形特殊サイズ）を示す図である。
【図１３】操作・表示部における手差設定画面（不定形サイズ）を示す図である。
【図１４】操作・表示部における手差設定画面（ワイド紙、サイズ選択）を示す概要図である。
【図１５】設定情報「サイズ」に関し、「不定形サイズ」が選択されたときの画像制御条件の一例を示す説明図である。
【図１６】設定情報「サイズ」に関し、「ワイド紙」が選択され、かつ  「先端合わせ」が選択されたときの画像制御条件の一例を示す説明図である。
【図１７】設定情報「サイズ」に関し、「ワイド紙」が選択され、かつ  「センタリング」が選択されたときの画像制御条件の一例を示す説明図である。
【図１８】設定情報「サイズ」に関し、「ワイド紙」が選択され、かつ  「センタリング」が選択されたときの画像制御条件につき、図１３とは別の例を示す説明図である。
【図１９】本実施形態に係る画像形成装置のフローチャートである。
【図２０】手差トレイに対する設定情報入力完了時に現れる表示画面を示す説明図である。
【発明を実施するための形態】
【００１６】
以下では、本発明の実施の形態について図を参照しつつ説明する。図１は、本実施形態に係る画像形成装置の構成例を示す概要図である。図１において、画像形成装置は、大きく画像読取部１０、画像書込部２０、画像形成部３０、転写紙搬送部４０、転写紙排紙部５０、及び転写紙反転部６０から構成され、さらに装置本体に外付けされる形で、外部給紙手段４１Ｌと複写後処理部７０とが設けられている。なお、本実施形態にいう「転写紙」とは、本発明にいう「記録材」に該当する。
【００１７】
画像読取部１０は、原稿Ｓに記載されている文字列又は絵画を光源の照射光によって光情報として読み取り、これを電気情報に変換する部位である。
【００１８】
原稿Ｓは、その原稿面Ｓｆ（画像が形成されている面）がプラテンガラス（原稿ガラス）１１表面に対向するよう、該プラテンガラス１１上に直接に載置される。光源１２は、この載置された原稿面Ｓｆに対し光を投射する。原稿面Ｓｆに達した光は、その画像情報を含む光（情報）となって当該面を反射しミラー１３に到達する。なお、光源１２及びミラー１３は、原稿面Ｓｆ全体を走査するようプラテンガラス１１面に沿って移動可能な構成となっている。
【００１９】
また、本実施形態における画像形成装置は、自動原稿給送手段としての自動両面原稿搬送部（ＲＡＤＦ）１００を備えている。原稿Ｓは、ここからプラテンガラス１１Ａ上に給送することも可能である。自動両面原稿搬送部１００は、図１に示すように、原稿載置台１０１に複数積層された原稿Ｓ群について、その一枚を分離して給送ローラ１００ａ及び１００ｂにより送り出し、これをローラ１００ｃを介してプラテンガラス１１Ａ上に供給するようになっている。プラテンガラス１１Ａ下に、光源１２Ａとミラー１３Ａが静止している（この場合、上記光源１２とミラー１３が図１において左方に移動して静止する）。これらの構成により、上記と同様、複数の原稿Ｓ群に関し、その原稿面Ｓｆを連続して読み取ることができる。
【００２０】
上記の他、図１に示す自動両面原稿搬送部１００及びプラテンガラス１１Ａ等の構成においては、原稿Ｓの表裏両面を読み取ることも可能である。この場合においては、一方の面を光源１２Ａにより光を投射された原稿Ｓは、反転ローラ１０２により原稿Ｓを、一旦（いったん）、図中右方向に送り出して、その読み取りが完了したら反転ローラ１０２の回転を反転させ、当該原稿Ｓを図中左方向に搬送しつつそれをローラ１００ｃによって、原稿Ｓの他方の面をプラテンガラス１１Ａ面に対向させるように搬送する。なお、自動両面原稿搬送部１００から供給され、光源１２Ａにより光が投射された原稿Ｓは、排紙皿１０３に順次積層されていく。
【００２１】
また、この画像読取部１０においては、原稿サイズの自動検知を行う原稿サイズ検知手段が設けられている。これは、プラテンガラス１１下に設けられる複数の光学式原稿サイズセンサ１８と、ＲＡＤＦ用原稿サイズ検知部（不図示）とがそれにあたる。前者は、上述したプラテンガラス１１上に原稿を直接載置する場合に用いられる原稿サイズ検知手段であり、後者は上記自動両面原稿搬送部１００を使用する場合に用いられる原稿サイズ検知手段である。
【００２２】
光学式原稿サイズセンサ１８は、図２に示すように、図中上下方向となる主走査方向（図１においては紙面垂直方向）の原稿サイズ、すなわち原稿幅を検知するセンサ１８１、１８２と、図中左右方向となる副走査方向（図１においては左右方向）の原稿サイズ、すなわち原稿長を検知するセンサ１８３、１８４とから構成される。各々のセンサ１８１、…、１８４は図示しない発光素子と受光素子との一組で構成されている。ここに、あるサイズの原稿Ｓがプラテンガラス１１上に載置されれば、上記四つのセンサ１８１、…、１８４における発光素子からの光が、当該原稿Ｓによってすべて遮られる場合と、当該原稿Ｓを載置することによってもすべて検知される場合との間において、光検知に係る一通りの組み合わせ関係が生じることとなる。このような光検知の有無に基づいた、センサ１８１、…、１８４の組み合わせを調べることで、原稿Ｓのサイズは自動的に検知されることになる。
【００２３】
ＲＡＤＦ用原稿サイズ検知部は、原稿載置台１０１上に備えられている側部規制板と副走査方向の原稿通過時間を計測する計時センサ（いずれも不図示）とから構成されている。原稿Ｓのサイズは、側部規制板が原稿載置台１０１上に載置された原稿Ｓ群の辺縁に密着した際、自身のその位置を検知すること（原稿幅検知）と、計時センサが計測した上記原稿通過時間とその搬送速度とから演算すること（原稿長検知）により、自動的に検知されることになる。
【００２４】
これら光学式原稿サイズセンサ１８やＲＡＤＦ用原稿サイズ検知部により自動的に検知された原稿Ｓのサイズは、後述するＡＰＳ機能実行時等に利用される。なお、これら原稿のサイズの検知は、複数の定形サイズのうちいずれかの定形サイズに該当することを検知するものである。
【００２５】
さて、上記したように光源１２又は１２Ａにより光が照射された原稿面Ｓｆに係る光情報は、以下、ミラー１４１、１４２又は１５１、１５２で反射を繰り返し、結像光学系１６を介してＣＣＤ撮像装置１７に達する。ＣＣＤ撮像装置１７は、光電変換機能を有する複数の画素が一次元状（主走査方向であり、図１においては紙面垂直方向）に配列された光電面（不図示）を有しており、これら複数の画素によって前記原稿面Ｓｆの画像情報を含む光情報が受け取られ、これが電気情報（画像データともいう）に変換する撮像部である。
【００２６】
画像書込部２０は、上記のようにして得られた画像データ（シェーディング補正やγ補正など画像処理が施された画像データであり、場合によっては、画像メモリ（不図示）に記憶されたものであってもよい）に基づき変調したレーザビームを、後述する感光体ドラム３１上に照射（書き込み）し、該感光体ドラム３１上に静電潜像を形成する部位である。
【００２７】
原稿面Ｓｆに係る光情報が変換されその画像情報を含む前記電気情報（画像データ）は、図示しない半導体レーザから発振するレーザビームを変調するために用いられる。前記画像データに基づいて変調され発振されたレーザビームは、駆動モータ２１にその中心部が接続され回転可能とされたポリゴンミラー２２に照射され、ここを反射した該レーザビームは反射ミラー２３を介して感光体ドラム３１上に照射される。ここに、ポリゴンミラー２２がレーザビームを反射しつつ回転することにより、感光体ドラム３１上では、該レーザビームの照射が、その軸方向（主走査方向）に関して走査されながら行われることになる。このレーザビームの照射により、感光体ドラム３１上には、前記電気情報に基づいた静電潜像が形成される。
【００２８】
なお、画像形成装置がネットワーク（例えば、ＬＡＮ）に接続されている場合、ネットワークを介してコンピュータから送信される画像データ（原稿）に基づいき変調したレーザビームを、後述する感光体ドラム３１上に照射（書き込み）し、該感光体ドラム３１上に静電潜像を形成してもよい。
【００２９】
画像形成部３０は、上記感光体ドラム３１上に形成される静電潜像を基にして転写紙Ｐ上に画像を形成する部位である。
【００３０】
感光体ドラム３１には、上述したようにレーザビームの照射による静電潜像が形成されるが、その前提作業として当該感光体ドラム３１表面全体を帯電部３２によって一様に帯電させておく。現像部３３は、前記静電潜像に対して帯電したトナー粒子を付着させてこれを可視化する。すなわち、静電潜像に基づいたトナー像が形成される。転写部３４では、別途給送されてくる転写紙Ｐ面に対して、前記トナー像を形成するトナー粒子を転写・付着させ、該転写紙Ｐ面上に画像を形成する。
【００３１】
以下、感光体ドラム３１上に対しては、分離部３５が該感光体ドラム３１に吸着した転写紙Ｐを分離し、クリーニング部３６が前記転写作用後感光体ドラム３１上に残ったトナーを清掃して清浄面を現出し、再び帯電部３２による一様帯電及びレーザビーム照射による静電潜像の形成が行われ得るようにする。一方、転写紙Ｐについては搬送機構３７を介して定着部３８へと送られる。定着部３８は、熱ローラ３８ａ及び３８ｂによって転写紙Ｐに熱及び圧力を加え、前記転写されたトナー粒子の定着を図る。転写紙Ｐはこの後、転写紙排紙部５０に設けられた数個のローラを介して、画像形成装置外部へと排紙される。この時点において、原稿面Ｓｆに係る画像の、転写紙Ｐ面に対する「複写」が完了することになる。
【００３２】
ちなみに、本実施形態における画像形成装置においては、上記した感光体ドラム３１から転写紙Ｐへのトナー粒子の転写（つまり画像形成）を、転写紙Ｐの一方の面のみへ行うのではなく、その他方の面に対しても実施することが可能である。この場合においては、片面複写を終えた転写紙Ｐは転写紙反転部６０へと搬送される。ガイド部６１は、この転写紙反転部６０と上記転写紙排紙部５０とに関する転写紙Ｐの搬送経路切換を行う。ガイド部６１が転写紙Ｐを図中下方に搬送するように切り換えられると、該転写紙Ｐは、反転ローラ６２を介して反転部６３へと搬出される。次に、転写紙Ｐが反転部６３へ所定量送出された状態において、反転ローラ６２を反転させ、該転写紙Ｐを反転搬送経路６４へと搬送する。以下、転写紙Ｐは当該経路６４を通過して、再び感光体ドラム３１の上流側に到達する。このとき、感光体ドラム３１面と対向する転写紙Ｐ面は、転写紙反転部６０を通過する前に転写された面とは、別の面となっている。なお、一般的には、このように反転された転写紙Ｐに実際に画像形成を行う際、感光体ドラム３１上には前記画像書込部２０によって新たな画像情報の書き込みをなしておく。
【００３３】
転写紙搬送部４０は、上記した画像形成部３０とりわけその感光体ドラム３１に対して転写紙Ｐを搬送する部位である。
【００３４】
転写紙Ｐは、上下方向に段状に構成された複数の給紙カセット（記録材収納手段）４１（図では、４１１、４１２、４１３の３つの給紙カセット）内に収納され、具体的には、給紙カセット４１内の各々に設けられたトレイ（底板）４２上に積層・載置される。これら給紙カセット４１は、上記画像形成部３０に転写紙Ｐを送出する際、すなわち画像形成する際には装置本体内に収まり、転写紙Ｐを補充する際には前記装置本体から引き出すことが可能なように構成されている。また、給紙カセット４１１、４１２及び４１３の各々については、例えば第一の給紙カセット４１１には「Ａ４」、第二の給紙カセット４１２には「Ａ３」等、サイズの異なる転写紙Ｐを対応させて収納したり、また、第一の給紙カセット４１１にはＡ４サイズの厚紙、第二の給紙カセット４１２には同サイズの薄紙等、種別の別毎に対応させて、各々収納しておくことが可能である。なお、本実施の形態における給紙カセット４１１〜４１３は、種々のサイズの転写紙Ｐを収納することができるものであり、一般に「ユニバーサルカセット」と呼称されることがある。
【００３５】
なお、図１においては、３つの給紙カセットを設ける場合を示したが、本発明において、設け得る給紙カセット数は、原理的に限定されるものではない。すなわち、給紙カセットはいくつ設けてもよい。
【００３６】
また、本実施形態においては、転写紙搬送部４０として、手差トレイ４１Ｈと外部給紙手段（いわゆるＬＣＴ）４１Ｌとを有しており、給紙カセット４１の他、給紙される転写紙Ｐを載置（収納）する手段として、図１に示すように、手差トレイ４１Ｈと、大量の転写紙Ｐを予めストックしておくことが可能な外部給紙手段４１Ｌ内の給紙トレイ（不図示）とが設けられている。前者によれば、特別な転写紙やＯＨＰ等への画像形成を特別に行うような場合に対応することが可能となり、後者では大量の転写紙Ｐに対する連続した画像形成を行うことが可能となる。
【００３７】
このような本実施の形態においては、画像形成の実行時に転写紙Ｐに関するサイズ、種別の設定情報の指定があれば、それにしたがって、対応する給紙カセット４１１〜４１３、手差トレイ４１Ｈ、外部給紙手段４１Ｌ内のトレイから転写紙Ｐが繰り出され、図１に示す複数の搬送ローラ等の構成によって前記画像形成部３０に向け、転写紙Ｐが搬送されることになる。以下、給紙カセット４１１〜４１３、手差トレイ４１Ｈ、外部給紙手段４１Ｌ内のトレイを、総称して、収納部という場合があり、その場合に４１１〜４１３を付した場合は給紙カセットを、４１Ｈを付した場合は手差トレイを、４１Ｌを付した場合は外部給紙手段４１Ｌ内のトレイをさすものとする。
【００３８】
また、複写後処理部７０は、上記転写紙搬送部４０、画像形成部３０を通過（表裏両面複写の場合には、転写紙反転部６０をも通過）し、画像が形成された転写紙Ｐについて、その後処理を実施する部位である。
【００３９】
この複写後処理部７０は、より具体的に、画像が形成された後の転写紙Ｐに関し、ソーティング、ステープリング、パンチング等の各種処理を実施する。ここに、ソーティングとは、連続的に排紙される転写紙Ｐを所望の順序で並べ、あるいは当該順序に従って積層していくような処理である。例えば、上記自動両面原稿搬送部１００を利用する場合において、その原稿載置台１０１上に載置される原稿Ｓ群を構成する一枚一枚の原稿Ｓに関し、その積層順序と同様となる、転写紙Ｐ群を複数部数（セット数）作成したい場合等が、上記「所望の順序」との一例に該当する。
【００４０】
また、ステープリングとは、複数枚が積層された画像形成済み転写紙Ｐに関し、その所定の位置に図示しない綴じ具を設け、当該転写紙Ｐを装丁する作業のことである。さらに、パンチングとは、上記ステープリングにおいて綴じ具を設けるのに代えて、複数枚積層された転写紙Ｐの所定位置に、後に綴じ紐等を通すための孔を形成する作業のことである（積層される前に孔を形成するようにしてもよい）。
【００４１】
次に、上で詳述した機構的構成例となる画像形成装置に関し、図３を参照しながら、その電気的な装置構成例についての説明を行う。図３において、本実施形態に係る画像形成装置は、上記したＲＡＤＦ１００、画像読取部１０、画像書込部２０、画像形成部３０、転写紙搬送部４０及び転写反転部６０、並びに複写後処理部７０における各種機構等が、中央制御手段Ｃによって統括、制御されるようになっている。
【００４２】
サイズ検知手段43１〜43３、43Ｈ（以下、サイズ検知手段４３ともいう）は、各給紙カセット４１１〜4１３及び手差トレイ43Ｈ内に収納されている転写紙Ｐのサイズを検出する検出手段であり、各給紙カセット4１１〜4１３及び手差トレイ4１Ｈそれぞれに設けられている。このサイズ検知手段４３の構成については、公知なものを用いることができ、要は、転写紙Ｐの幅方向のサイズ及び長さ方向のサイズを検知する手段である。そして、このサイズ検知手段４３によって得られた情報は、中央制御手段Ｃに入力される。中央制御手段Ｃでは、得られた情報（転写紙Ｐの幅サイズ及び長さサイズ）に基づいて、複数の定形サイズのうちいずれかの定形サイズに該当するかを判断し、給紙カセット４１１〜4１３及び手差トレイ4１Ｈ内に収納されている転写紙Ｐの定形サイズを検出する。これら、サイズ検知手段４３及び中央制御手段Ｃによる定形サイズの検知は、定形サイズ検知部を構成する。
【００４３】
ここで、「定形サイズ」とは、この定形サイズ検出部が、記録材のサイズが複数の定形サイズのうちいずれの定形サイズに該当することを検出できるサイズである。例えば、日本及び欧州仕様においては、Ａ４、Ａ３、Ｂ５、Ｂ４などを「定形サイズ」といい、米国仕様においては、５．５×８．５inch、８．５×１１ｉｎｃｈなどを「定形サイズ」といい、それ以外の定形サイズを「特殊定形サイズ」（日本及び欧州仕様においては、５．５×８．５inch、８．５×１１ｉｎｃｈなどであり、米国仕様においては、Ａ４、Ａ３、Ｂ５、Ｂ４などであり）と言うが、例えば、日本及び欧州仕様においても、定形サイズ検出部が８．５×１１ｉｎｃｈを検出できるようになっていれば、それは、「定形サイズ」である。なお、「定形サイズ」以外のサイズを、「特殊定形サイズ」を含めて、「非定形サイズ」といい、「非定形サイズ」は、後述するように、「特殊定形サイズ」、「不定形サイズ」及び「ワイド紙」に分けられる。
【００４４】
なお、本実施の形態では、外部給紙手段４１Ｌには、サイズ検知手段を設けておらず、サービスマンが外部給紙手段４１Ｌを設置する際に、不揮発設定（サービスマンモードによる不揮発性の記憶手段への直接の設定）により行うようにしているが、上述の給紙カセット４１と同様に、サイズ検知手段を設けてもよい。
【００４５】
操作・表示部８１は、一般的には、使用者が複写等の開始、停止などの動作タイミングを指示したり、種々の動作環境の設定を行う操作部と、画像形成装置の動作状況や設定状況などを表示する表示部とが一体となったタッチパネル等で構成され、この操作・表示部８１は中央制御手段Ｃによって制御される。また、画像形成装置がネットワーク（例えば、ＬＡＮ）に接続され、ネットワークを介してコンピュータから動作の設定などを行ってもよく、コンピュータで設定された情報は、画像形成装置がネットワークと接続される部分（例えば、ネットワークインターフェースなどのコントローラ部分）から、該情報が画像形成装置に入力されることになる。
【００４６】
この操作・表示部８１に表示される基本画面の具体的として、図４に例示する。この図において、各エリア８１１乃至８１５及び８１ａ内で示されているアイコン表示を押圧等することで、上記動作環境の設定などＪＯＢの設定に関する所定の情報入力を行い、画像形成装置に関する様々な操作を実施することが可能となっている。
【００４７】
より詳細には、エリア８１１では複写完了後の転写紙Ｐ出力形態、特に上述した複写後処理部７０に関する指定を行い、エリア８１２では上述した画像読取部１０における自動両面原稿搬送部１００及び画像形成の状態（原稿Ｓ及び転写紙Ｐをそれぞれ両面か片面か）を設定するようになっている。また、エリア８１３では複写（画像形成）濃度を、エリア８１４では複写倍率を、８１ａでは画像形成する転写紙Ｐの選択を、エリア８１５では図示するような各種応用設定を行うようになっている。
【００４８】
この基本画面において、エリア８１ａの「自動」ボタンが選択されると、光学式原稿サイズセンサ１８やＲＡＤＦ用原稿サイズ検知部により自動的に検知された原稿Ｓのサイズに一致するサイズとなる転写紙Ｐを収納した収納部を、複数の収納部４１１〜４１３、４１Ｌのうちから選択する自動記録材選択機能（以下、ＡＰＳともいう）を選択したことになる。また、エリア８１４で「自動」ボタンを選択するとともに、エリア８１ａで「自動」ボタン以外の収納部４１１〜４１３、４１Ｈ、４１Ｌのいずれかを選択すると、光学式原稿サイズセンサ１８やＲＡＤＦ用原稿サイズ検知部により自動的に検知された原稿Ｓのサイズを、選択された収納部に収納された転写紙Ｐのサイズになるように、自動的に倍率を変更する自動倍率選択機能（以下、ＡＭＳともいう）を選択したことになる。さらに、本実施の形態の画像形成装置においては、いま画像形成を行っている転写紙Ｐが、設定された枚数の画像形成途中に収納部内からなくなったときに、該転写紙Ｐと同じサイズの転写紙Ｐを収納している他の収納部を選択する自動給紙切換機能（以下、ＡＴＳともいう）をも有している。
【００４９】
そして、この図４の基本画面において、操作者が、画像形成の設定を行った後、図４では図示していない枚数設定ボタン（テンキー）によって画像形成枚数を設定したのち、同じく図４では図示していないコピーボタンを押圧することにより、複写が開始される。
【００５０】
ここで、エリア８１ａについて詳細に説明する。エリア８１ａでは、図４に示すように、各給紙カセット４１に対応するアイコンが表示され、それら各々が収納する転写紙Ｐの種別・サイズに関する情報が表示されている。いま図４においては、例えば給紙カセット４１１  について、種別が「色紙」、サイズが「Ａ４」と設定されていることがわかる。
【００５１】
ところで、本実施の形態においては、この収納部４１１〜４１３、４１Ｌ内に収納されている転写紙Ｐの「種別」に関する情報は、それぞれの収納部４１１〜４１３、４１Ｌ毎に、操作・表示部より設定できるように設けられている。
【００５２】
この設定は、複写機の管理者（本実施の形態の複写機は６０枚／分以上の画像形成速度をもつ高速機であるので、ユーザーの中でもこの複写機を管理する人が設けられている場合があり、この人を管理者という）が種々の設定を行う管理者設定モードで行われる。この管理者設定モードは、管理者のみが知るパスワード等により移行することができ、一般のユーザーはこの管理者設定モードに移行することができないものである。そして、この管理者設定モードにおいては、種々の複写機の設定を行うことができる。その一つとして、本実施の形態では、給紙カセット４１内に収納されている転写紙Ｐの種別・サイズを設定できるように構成している。先の管理者設定モードに移行した後、管理者設定モードの画面で、画面に表示された「紙種類／特殊サイズ設定」ボタンを管理者が押圧すると、転写紙Ｐの種別・サイズの設定画面となる。
【００５３】
この設定画面の一例を、図５に示す。この設定画面の左方には、給紙カセット４１と外部給紙手段４１Ｌとが表示され、それぞれに設定されている転写紙Ｐの種別が表示されている。また、この設定画面の右方には、設定できる転写紙Ｐの種別が表示されている。この設定画面は、転写紙Ｐの種別を設定する種別設定画面であり、管理者が、設定しようとする給紙カセット４１１〜４１３或いは外部給紙手段４１Ｌに相当する画面上を押圧して、設定の対象となる給紙カセット４１１〜４１３或いは外部給紙手段４１Ｌ選択する（選択されると、白黒反転表示される）。そして、この設定画面の右側に、種別を選択するための「上矢印」ボタン、或いは、「下矢印」ボタンをを押圧することにより、種別が表示されている個所（白黒反転表示されている個所）が順次移動し、管理者が設定したい種別のところで、「ＯＫ」ボタンを押圧すると、そのトレイに選択した種別が設定できる。
【００５４】
ここで、「種別」に関して、設定できる種別としては、例えば以下に示す表１のような種別がある。
【００５５】
【表１】
2011037273.tif 000003
【００５６】
すなわち、大きく分けて、「普通紙」と「特殊紙」である。そして、本実施形態にいう「普通紙」とは、いわゆる一般的な普通紙の他に、再生紙、色紙、特殊紙、上質紙及び剥離紙の五種類の転写紙を含んだ概念である。ただし、このような取り扱いは、これら五種類の転写紙についての制御条件（後述）を本実施形態においては一般的な普通紙と同じとする、ということに根拠があるだけであるから、これらの中で、さらに上記制御条件を異ならせるような取り扱いを行うこととしても一向に構わない。換言すると、本実施の形態では、再生紙、色紙、上質紙、剥離紙なども、一般的な普通紙と同じ制御条件なので、これらも普通紙として取り扱うが、これらのうち、一般的な普通紙と制御条件が異なるものであれば、「普通紙」と弁別するため「特殊紙」として扱えば良い。また、「特殊紙」とは、「普通紙」と制御条件の異なる「種別」の紙であり、厚紙１、厚紙２（厚紙１よりも厚い紙）、薄紙、ＯＨＰ、第２原紙、ユーザー指定紙、ＴＡＢ紙などがあり、本実施の形態では、後述するように、これら「特殊紙」それぞれにおいても制御条件が異なる。
【００５７】
なお、本実施の形態では、これら「種別」を設定できる収納部は、表１の対象収納部に記載される如く、給紙カセット４１１、４１２、４１３、外部給紙手段４１Ｌ内のトレイである。残りの手差トレイ４１Ｈに収納される転写紙Ｐの「種別」は、後述するように、手差トレイ４１Ｈ上の転写紙Ｐに画像形成を行うに先立ち、手差設定画面によって設定され、記憶手段８３には記憶されないが、他の収納部と同様に記憶するように構成してもよい。
【００５８】
そして、設定された「種別」は、不揮発性の記憶手段８３に、各収納部４１１〜４１３、４１Ｌ毎に、記憶される。
【００５９】
また、本実施の形態においては、この収納部４１１〜４１３に収納されている転写紙Ｐの「サイズ」に関する情報は、それぞれの収納部４１１〜４１３毎に、操作・表示部より設定できるように設けられている。
【００６０】
図５に示した種別設定画面の左下にある「特殊サイズ設定」ボタンを管理者が押圧すると、転写紙Ｐのサイズ設定画面（図６〜図１０）になる。すなわち、管理者設定モードにおける、図６に示すようなサイズ設定画面で、収納部４１１〜４１３毎に、サイズを設定できるようになっている。この設定画面の左方には、給紙カセット４１１〜４１３が表示され、それぞれに設定されている転写紙Ｐのサイズが表示されている。また、この設定画面の右方には、設定できる転写紙Ｐのサイズの種類が表示されている。この設定画面は、転写紙Ｐのサイズを設定するサイズ設定画面であり、管理者が、設定しようとする給紙カセット４１１〜４１３に相当する画面上を押圧して、設定の対象となる給紙カセット４１１〜４１３選択する（選択されると、白黒反転表示される）。そして、この設定画面の右側に、設定できるサイズの種類「定形サイズ」、「定形特殊サイズ」、「不定形サイズ」「ワイド紙」を選択するための「上矢印」ボタン、或いは、「下矢印」ボタンを押圧することにより、サイズの種類が表示されている個所（白黒反転表示されている個所）が順次移動させる。
【００６１】
ここで、「定形サイズ」が選択された場合（図６）は、上述した定形サイズ検出部によって、給紙カセット４１１〜４１３内の転写紙Pのサイズ（定形サイズ）を検出し、その検出したサイズ（定形サイズ）を制御条件の選択に用いる。
【００６２】
ここで、「定形サイズ」が選択された場合は、定形サイズ検出部によって検出されたサイズに応じた制御条件で画像形成を行う「検出モード」が選択されたことになる。一方、後述する「定形特殊サイズ」、「不定形サイズ」及び「ワイド紙」が選択された場合は、設定された情報に応じた制御条件で画像形成を行う「設定モード」が選択されたことになる。すなわち、本実施の形態の画像形成装置は、「検出モード」と「設定モード」との２つのモードを有しており、そのいずれか一方を、操作・表示部８１によって選択することができるように構成している。
【００６３】
また、「定形特殊サイズ」が選択された場合（図７）は、その右側に、選択できる特殊定形サイズがポップアップ画面で表示され、表示された特殊定形サイズの中から、「上矢印」ボタン、或いは、「下矢印」ボタンを押圧することにより、設定したい特殊定形サイズを選択（白黒反転表示される）する。
【００６４】
また、「不定形サイズ」が選択された場合（図８）は、その右側に、サイズ入力画面がポップアップ画面として表示され、転写紙Ｐの長さ（給紙方向の長さ）と幅（給紙方向と直交する方向の長さ）を、管理者が直接、テンキー（「０」〜「９」のボタン）や「上矢印」ボタン、或いは、「下矢印」ボタンを押圧することにより、サイズを入力する。
【００６５】
また、「ワイド紙」が選択された場合（図９）は、設定可能なサイズがポップアップ画面で表示される。ここで、「ワイド紙」とは、定形サイズよりも長さ又は／及び幅が若干長く（例えば、５ｍｍ、１０ｍｍなど）なっている転写紙のことである。そのためポップアップ画面で表示される設定可能なサイズは、定形サイズ（この場合は、特殊定形サイズも含めて）が表示されている（但し、その後ろにはワイド紙であることを示すＷの記号が付されている）。そして、この表示されたサイズのうち所望のサイズを「上矢印」ボタン、或いは、「下矢印」ボタンを押圧することにより、選択する。さらに、本実施の形態では、サイズの詳細サイズを変更したい場合は、図９において「サイズ入力」ボタンを押圧すると、サイズ入力画面が表示される（図１０）。このサイズ入力画面で、転写紙Ｐの長さ及び幅それぞれのサイズをテンキー又は矢印キーで設定することができる。なお、図９において、「先端」ボタン及び「センタリング」ボタンは、画像形成を行う位置を、設定するためのボタンである。
【００６６】
このように、各給紙カセット４１１〜４１３毎に、サイズを設定した後は、管理者が「ＯＫ」ボタンを押圧すると、そのトレイに選択したサイズが設定できる。
【００６７】
一方、外部給紙手段４１Ｌ内のトレイに収納された転写紙Ｐのサイズの設定は、本実施の形態では、サービスマンが外部給紙手段４１Ｌを設置する際に、不揮発設定（サービスマンモードによる不揮発性の記憶手段への直接の設定）により行うようにしているが、上述の給紙カセット４１と同様に、管理者が管理者モードで設定するように構成してもよい。
【００６８】
そして、設定された「サイズ」は、不揮発性の記憶手段８３に、各給紙カセット４１１〜４１３及び外部給紙手段４１Ｌのトレイ毎に、記憶される。ここで、記憶手段８３に記憶されるのは、「定形サイズ」以外の非定形サイズ（具体的には、「定形特殊サイズ」、「不定形サイズ」及び「ワイド紙」で設定されたサイズ）であり、「定形サイズ」に関しては、画像形成に先立ち、定形サイズ検出部により検出されるように構成しているが、予め検出を行い、記憶手段８３に記憶するように構成してもよい。
【００６９】
また、本実施の形態では、基本画面（図４）において手差トレイ４１Ｈが選択されると、手差トレイ４１Ｈ上に載置されている転写紙Ｐに関する設定情報（上述の如く、「種別」及び「サイズ」）を設定するための手差設定画面が、操作・表示部８１に表示される。なお、この手差設定画面は、基本画面（図４）において、直接、手差トレイ４１Ｈが選択されなくとも、画像形成に先立ち、手差トレイ４１Ｈ上に転写紙Ｐが載置されたことを図示しないセンサによって検出することにより、表示させるようにしてもよい。要は、手差トレイ４１Ｈ上に載置された転写紙Ｐ上に画像形成を行うに際しては、設定情報を入力するための手差設定画面が、表示されればよい。
【００７０】
この手差設定画面は、図１１〜図１４に示されるような画面であり、基本的に、給紙カセット４１に収納されている転写紙Ｐの設定画面（図６〜図１０）と同様の設定が可能となっている。なお、手差設定画面においては、転写紙Ｐの「種別」が、「厚紙」（図５における「厚紙１」に相当）、「薄紙」、「ＯＨＰ」、「第２原紙」、「タブ紙」及び「指定紙」（図５における「ユーザー指定紙」に相当）であり、これらのいずれも選択されていない場合は、「普通紙」として扱われる。
【００７１】
ところで、本実施の形態では、手差トレイ４１Ｈ上に画像形成を行う場合は、上述の如く、手差設定画面を、操作・表示部８１に表示するようにしているが、これを表示させないように行うこともできる。たとえば、管理者設定モード、或いは、サービスマンモードにおいて、手差トレイ４１Ｌ上に載置された転写紙Ｐ上に画像形成を行うに際して、操作・表示部８１に手差設定画面を表示するか否かを選択できるように構成しておき、管理者或いはサービスマンが、表示させないように設定していれば、手差トレイ４１Ｌ上に載置された転写紙Ｐ上に画像形成を行うに際して、操作・表示部８１に手差設定画面を表示させないようにすることができる。
【００７２】
図３に戻って、不揮発性メモリ８２は、画像形成装置の制御条件（搬送条件やプロセス条件）が記憶される条件記録手段であり、ここで記憶された制御条件に基づいて、中央制御手段Ｃが各部の制御を行う。この制御条件は、不揮発性メモリ８２に転写紙Ｐの「種別」及び「サイズ」毎に記憶されており、搬送する転写紙Ｐに応じた制御条件が中央制御手段Ｃへと読み出され、制御する。すなわち、記憶手段８３に、給紙カセット４１、外部給紙手段４１Ｌ毎に記憶されている収納されている転写紙Ｐのサイズ或いは種別、又は、サイズ検知手段８３によい検知されたサイズに応じて、この不揮発性メモリ８２に記憶されている制御条件が読み出され、中央制御手段Ｃによって、画像形成装置全体が制御される。
【００７３】
ここに制御条件とは、プロセス条件や紙搬送条件等、画像形成装置の動作態様を決定する条件全体のことを指し、より具体的には、図１に示す転写紙搬送部４０における各種ローラの回転速度制御条件（つまり、いわゆる「線速」の制御）や熱ローラ３８ａ及び３８ｂの温度や圧着度合いに係る制御条件等、その他、画像形成装置全体における各種機構の動作・状態等を定める条件のことをいうものである。
【００７４】
本実施形態においては、転写紙Ｐの種別ないしサイズの別によって、各々異なる制御条件が選択されるよう、それらの設定値を例えば不揮発メモリ８２に、予め記憶されている。例えば「種別」の相違によっては、以下に示す表２のような制御条件が予め準備される。
【００７５】
【表２】
2011037273.tif 000004
【００７６】
この表２に示すように、制御条件は、厚紙１、厚紙２、薄紙、ＯＨＰ用フィルム等の別に応じて、様々な切り換えが行われることとなる。なお、「厚紙１」及び「厚紙２」とあるのは、後者の方がより大きい「厚さ」となる厚紙であることを意味している。
【００７７】
当該表２について幾つか簡単に言及しておくと、最左欄における「プロセス制御条件」の切り換えは、ＴＡＢ紙を除くすべての「種別」について実施することが示されている。このような対処は、各「種別」毎に最適な複写を実施しようとするからであり、最も好ましい対応といえる。また、その右隣の欄「定着進入ガイド高さ」については、厚紙１及び厚紙２についての制御条件を、普通紙のそれに対し、切り換えることを示している。これは、普通紙を通す際に規定されるガイド高さでは、厚紙の通過にとって障害となるからである。さらに、その右隣の欄「両面モード不可」は、厚紙２及びＯＨＰ用フィルムについて、両面複写を不可とする条件とすることを意味する。これは、厚紙２では上記転写紙反転部６０における反転が困難であること、ＯＨＰ用フィルムでは表裏両面の複写は通常意味を成さないこと、により上記のように制限されるのである。以下各欄についても、上記と同様にして、「種別」毎に好ましいものとなる制御条件が各々用意される。
【００７８】
また、「サイズ」の相違に関しては、例えば以下に示す表３のような制御条件が予め準備される。
【００７９】
【表３】
2011037273.tif 000005
【００８０】
この表３に示すように、制御条件は、定形特殊サイズ、不定形サイズ及びワイド紙の別に応じて、切り換えが行われることとなる。
【００８１】
表３における「定形サイズ」における制御条件は、まさしく「定形」（例えば、「Ａ４サイズ」）であるがゆえに、予め定めておくことが可能である。したがって、各種定形サイズに関する制御条件は、予め、これを不揮発メモリ８２に記憶させておくことが可能である。また、「定形特殊サイズ」は、一般に他国等において定形であるが通常は用いられない、例えば8.5 ×11inch，11×17inch等のサイズのことをいうが、これについても、一種の定形であることに変わりはないため、その制御条件を予め定めておくことが上記同様可能である。したがって、定形特殊サイズの各々に対応する制御条件も、不揮発メモリ８２に予め記憶させておく。
【００８２】
一方、「不定形サイズ」及び「ワイド紙」については、上述したように、転写紙Ｐのサイズを、使用者が基本的に自由に定めたものであるから、一般に、制御条件を予め定めておくことができない。したがって、この場合においては、設定されている転写紙Ｐのサイズに基づき、その都度、新たな制御条件を定めることが基本となる。このような事情は、表３において、「不定形サイズ」及び「ワイド紙」について「定形サイズの制御仕様（特に、紙搬送条件等）を『準用』する」と記載されていることに現れている。
【００８３】
この「不定形サイズ」及び「ワイド紙」に関する設定情報により制御条件が決定される場合の作用説明を行う。
【００８４】
これら「不定形サイズ」及び「ワイド紙」については、上述したように使用者がそのサイズを任意に設定することが基本であるから、制御条件は、当該任意設定に応じ、その都度適切なものとなるよう決定しなければならない。このような決定を左右する因子として、本実施形態においては特に、以下に記す「紙搬送条件」及び「画像制御条件」を対象とする。
【００８５】
まず、「不定形サイズ」及び「ワイド紙」に関する「紙搬送条件」であるが、これは、図８〜１０の如く、設定された非定形サイズに係る送り長さ（つまり、上記した「搬送方向」あるいは「縦方向」の長さ）の設定値情報より小さくて最も近似する定形サイズ（以下、近似定形サイズという）に関し定められている「紙搬送条件」を参照し、これに補正値αを加味して求める。すなわち、この補正値αによって、任意ないしは未知のサイズとなる「不定形サイズ」及び「ワイド紙」転写紙の複写に、臨機応変に対応しようとするものである。なお、上記表３に関し述べた「準用」ということは、具体的には、この補正値αの存在及びそれを加味する、という処理を指して観念されるものである。
【００８６】
より具体的に言えば、このαの性格は、「不定形サイズ」及び「ワイド紙」となる転写紙Ｐの搬送時間が、定形サイズのそれに比べて、一般に長く若しくは短くなる筈であるから、これによる不具合を補正しようとすることに主眼がある。
【００８７】
さらに具体的に、この補正値αを、ある特定の「不定形サイズ」及び「ワイド紙」転写紙に関し、具体的に決定するに際しては、以下の点を基準とする。
（１）ＰＰＭ制御
「不定形サイズ」及び「ワイド紙」に関するＰＰＭは、近似定形サイズのＰＰＭに対しα分のＰＰＭインターバルを加算する。ここに、ＰＰＭ（Print Per Minute) とは、ある転写紙Ｐについて、１分間で完了する複写枚数のことである。したがって、ここにいうα分のＰＰＭインターバル加算ということは、近似定形サイズの紙搬送に関するＰＰＭに対しα分を余計にみることで、近似定形サイズと今注目している「不定形サイズ」及び「ワイド紙」との転写紙Ｐの紙搬送に係る後端・先端間条件を同等とするとともに、上述した転写紙反転部６０における両者の反転時間差分も同等の条件とすることを目している。
（２）連続給紙時第一給紙送り出しタイミング
近似定形サイズの設定タイマに対し、送り出しをα分に相当するだけ遅延させる。すなわち、当該設定タイマにα分に相当の加算を行う。この条件設定も、近似定形サイズと注目している非定形サイズとの、転写紙Ｐに係る後端・先端間条件を同等とする目的を有する。
【００８８】
以上の（１）及び（２）は、図１における転写紙搬送部４０についての制御条件に関するものであることがわかる。
（３）サイズ毎の反転経路内の循環枚数設定（ＡＤＵ循環判断制御に使用）
近似定形サイズ設定値にα分の循環遅延時間を加算して、両面画像する場合に、循環経路（反転部６３、反転搬送経路６４など）に存在させることができる転写紙枚数の設定値を補正するものである。
（４）反転時反転モータ速度切換タイミング
近似定形サイズ設定値に、α分の定着抜け遅延時間を加算する。これは上述した転写紙反転部６０における反転ローラ６２を駆動するモータに関し、その切り換えのタイミングを変更しようとするものである。言い換えれば、熱ローラ３８ａ及び３８ｂから抜け出るタイミングが、近似定形サイズとなる転写紙Ｐと非定形サイズとなるそれとでは異なるから、反転ローラ６２の切り換えタイミングもそれに準じて変更する必要があるからである。なお、この反転ローラ６２の切り換えは、反転搬送路６４へ転写紙を搬送する場合の他に、転写紙Ｐを反転排紙する場合においても、行われる。
【００８９】
なお、補正値αを決定するに参考とする画像形成装置に関する動作・状態あるいは機能としては、上記（１）乃至（４）以外の他の条件を付加して考察してよいことは勿論である。また、そのような場合においては、αとは別の補正値（例えばβ）を導入するようにしてよい。また、上記（１）乃至（４）に関してのみ補正値αを考えるのであれば、「不定形サイズ」及び「ワイド紙」に関する設定情報を入力する際には（図８〜図１０参照）、上記縦方向の長さについての定義を実施すれば十分であるが、上述したような「別の条件が付加される場合もあり得るという事情から、その横方向についても設定するとしておく方が好ましい。
【００９０】
次に、「不定形サイズ」及び「ワイド紙」に関する「画像制御条件」であるが、これは、原稿サイズと一般に異なる「不定形サイズ」及び「ワイド紙」への画像形成に関し、その形成位置をどのように定めるかに係る制御条件である。すなわち、上述した画像書込部２０及び画像形成部３０の動作態様等に関する制御条件である。このような「画像制御条件」としては、上記した「不定形サイズ」と「ワイド紙」とで、以下に記すような別個の条件を適用して画像形成装置を制御する。
【００９１】
第一に、「不定形サイズ」に関しては、図８において任意で設定されたサイズの転写紙Ｐに対し、原稿サイズの画像をサイド基準で形成するとともに、画像領域は、基本仕様（予め任意に決定する）に定められた余白量（先端、後端、及び両端）を確保できる範囲として制御条件を定める。
【００９２】
たとえば図１５に示すように、原稿サイズが主走査方向で２１０ｍｍ（＝ｘ２）、副走査方向で４１０ｍｍ（＝ｙ２）、任意に設定された不定形サイズ転写紙についての主走査方向が２２０ｍｍ（＝ｘ１）、副走査方向が４２６ｍｍ（＝ｙ１）であるとすれば、左端（図中における、以下同じ）ｘ３について２ｍｍ、右端ｘ４について８ｍｍ、上端ｙ３について２ｍｍ、下端ｙ４について１４ｍｍ、として画像制御条件を定める。
【００９３】
第二に、「ワイド紙」に関しては、さらに先端合わせとするか、あるいは中央位置（センタリング）とするかに係る選択を通じて、次のように制御条件を定める。なお、これら先端合わせ及びセンタリングは、先にも少し触れたように、図９中最右方に示されている「画像合わせエリア」を利用し、給紙カセット４１等に対する設定情報の入力を行う際に予め設定しておくものである。
【００９４】
（１）先端合わせ
図９において、任意で設定されたワイド紙サイズの転写紙Ｐに対し、原稿サイズの画像を先端合わせして形成する。たとえば、図１６に示すように原稿のサイズがＡ３、任意に設定されたワイド紙サイズ転写紙についての主走査方向が３０４ｍｍ、副走査方向が４２６ｍｍである場合には、左端ｘ３及び右端ｘ４を各々４ｍｍ、下端ｙ４を６ｍｍ、そして当然ながら上端を０ｍｍとして画像制御条件を定める。
【００９５】
なお、上述した転写紙反転部６０を利用して表裏両面複写を実施する場合には、画像形成位置が当該表裏で一致するように、一方の面で先端合わせとした場合には、他方の面に関し「後端合わせ」とする画像形成が行われるよう、当該条件を定める。
【００９６】
（２）センタリング
図９において任意で設定されたワイド紙サイズの転写紙Ｐに対し、原稿サイズの画像を中央に合わせて形成する。たとえば、図１６と同様な状況となる図１７に示すような場合においては、上端ｙ３及び下端ｙ４を各々３ｍｍ、左端ｘ３及び右端ｘ４を各々３ｍｍ、となるよう画像制御条件を定める。
【００９７】
また、図１７と比べて、ワイド紙サイズの転写紙の主走査方向が２９９ｍｍ、副走査方向が４２０ｍｍと異なるものとされた図１８のような場合には、上端ｙ３を２ｍｍ、下端ｙ４を３ｍｍ、左端ｘ３及び右端ｘ４を各々１ｍｍ、となるよう画像制御条件を定める。
【００９８】
以上説明したように、サイズに係る制御条件については、「紙搬送条件」及び「画像形成条件」なる因子について特に配慮を払いながら、当該制御条件を、実際に設定された任意のサイズに応じて臨機応変に変更しながら、画像形成装置の制御条件を設定し、動作させることになる。
【００９９】
その他、表３において示されているのは、上記のような性質となる制御条件の中にあっても、予め定めておくことが可能なものについてであり、不揮発メモリ８２に記憶されるのは、そのようなものに関する情報となる。
【０１００】
すなわち、「不定形サイズ」では、（１）上述した転写紙反転部６０を利用した両面複写は不可とすること、（２）上述した転写紙排紙部５０に係る排紙モードについてこれをサブトレイ（不図示）排出とすること、（３）ＡＰＳ機能、ＡＭＳ機能、ＡＴＳ機能の各機能を禁止すること、といった予め定め得る制御条件について不揮発メモリ８２に記憶させておくことになる。
【０１０１】
また、「ワイド紙」に関しても、予め定め得る制御条件について不揮発メモリ８２に記憶させておくことは上記と同様で、（１）転写紙Ｐ上への画像の形成位置に関する画像制御条件についての設定（上述したセンタリング又は先端合わせであり、図９や図１４で設定される）、（２）排紙モードとして、上述した複写後処理部７０におけるステープリング実施に関するモード（表３においてはステープリングモード）は禁止し、それ以外については有効とすること、（３）ＡＰＳ機能、ＡＭＳ機能、ＡＴＳ機能の各機能を禁止すること、なる制御条件について不揮発メモリ８２に記憶させることになる。なお、この（１）で述べた「画像制御条件」については、後に再び述べる。
【０１０２】
ここでは、上記「不定形サイズ」及び「ワイド紙」に関する制御条件について、前者・後者とも（３）として挙げたＡＰＳ機能等の禁止に関する説明を行う。
【０１０３】
ここにＡＰＳ機能（自動記録材選択機能）とは、要すれば、画像を形成する転写紙Ｐを積載した給紙カセット４１等を複数備えるような本実施形態のような画像形成装置等において、該給紙カセット４１等に設けられるサイズ検知手段４３及び原稿Ｓのサイズを検知する原稿サイズ検知手段（例えば上記光学式原稿サイズセンサ１８）とを備え、原稿Ｓのサイズと合致するサイズを有する転写紙Ｐを自動的に選択し、前記原稿Ｓに係る画像を当該転写紙Ｐに対し画像形成する機能のことをいう。
【０１０４】
また、ＡＴＳ機能（自動給紙切換機能）とは、例えばある原稿サイズについて上記ＡＰＳ機能を利用した複写を連続して行っている際に、当該転写紙Ｐを収納していた給紙カセット４１につき、その転写紙Ｐが完全に消費されたような状態において、同一サイズの転写紙Ｐを載置する他の給紙カセット４１があれば、当該給紙カセット４１等への切り換えが自動的に行われる機能のことをいう。
【０１０５】
さらに、ＡＭＳ機能とは、上記原稿サイズ検知手段により検知された原稿Ｓのサイズと、予め複写されるべきものとして選択された転写紙Ｐのサイズとから、当該原稿Ｓのサイズ毎に、当該転写紙Ｐへの画像形成を行う際の変倍率及び画像回転必要性を自動的に決定する機能のことをいう。
【０１０６】
そして、これらの機能の実施にあたっては、その前提として、通常、当該機能の対象となるか否かの設定を上記給紙カセット４１等毎に行う。つまり、例えばＡＰＳ機能が実施される場合においては、選択の対象となる給紙カセット４１等を予め「対象設定」しておく必要がある。
【０１０７】
以上のことから、表３において示されている、「不定形サイズ」及び「ワイド紙」の設定情報が設定された給紙カセット４１に関し、その制御条件のうちＡＰＳ機能等を不可とする、ということは、上記「対象設定」を行うことを不可とするということを、直接には意味させてよい。また、対象設定が既に成されていた給紙カセット４１等につき、上記したような設定情報が設定されているときは、その対象設定を解除するという意味としてもよく、さらにまた、ＡＰＳ機能を利用した複写中に、上記したような給紙カセット４１が選択されたときには、ＡＰＳ機能を解除するという意味としてもよい。いずれにしても、このような「不定形サイズ」及び「ワイド紙」の設定情報が設定された給紙カセット４１等においては、ＡＰＳ機能、ＡＴＳ機能、ＡＭＳ機能が禁止されるのである。
【０１０８】
その趣旨は、すなわち、転写紙Ｐが「不定形サイズ」あるいは「ワイド紙」であるような場合にあっては、ＡＰＳ機能、ＡＴＳ機能、ＡＭＳ機能の実施時の対象給紙カセット４１等とすることが一般に不適であることによる。
【０１０９】
なお、これに関連して、上記ＡＰＳ／ＡＴＳ／ＡＭＳ機能に関する本実施形態における画像形成装置の制御条件について、「種別」の相違を観点とした当該制御条件の相違についても一同にまとめると、以下に示す表４のようになる。
【０１１０】
【表４】
2011037273.tif 000006
【０１１１】
この表４から、「種別」を観点とする場合にあっても、本実施形態において、ＡＰＳ機能及びＡＴＳ機能については、「普通紙」を除き、当該機能を禁止する。ただし、ＡＭＳ機能については、上記した「サイズ」に係る設定情報である「不定形サイズ」及び「ワイド紙」で禁止される以外は、どのような設定情報が給紙カセット４１等に付されていても有効に機能するようにする。
【０１１２】
以下では、上記構成例となる画像形成装置について、具体的な作業手順の一例にのっとり、かつ図１９のフローチャートに沿いつつ、その作用ないし効果についての説明を行う。
【０１１３】
まず、図１９のフローチャートの説明に先立ち、操作・表示部８１で、管理者が、管理者設定モードで各給紙カセット４１及び外部給紙手段４１Ｌ毎に、「種別」と「サイズ」の設定情報を設定する。この設定について、再度、詳述すると、まず各給紙カセット４１について、転写紙Ｐに係る「サイズ」に関し、「定形特殊サイズ」に係る設定情報を或る給紙カセット４１に設定させようとする場合には、管理者設定モードから図５に示すような設定画面を、操作・表示部８１に表示させた後、「特殊サイズ設定」を押圧することにより、サイズ設定の画面が現れる。
【０１１４】
そして、設定しようとする給紙カセット４１を選択したのち、該給紙カセット４１内に収納される転写紙Ｐのサイズを入力する。具体的には、転写紙が定形サイズであれば「定形サイズ」ボタンを選択し、定形特殊サイズであれば「定形特殊サイズ」を選択したのち図７のポップアップ画面に示すように予め規定済みの数種のサイズ（デフォルト値）の中から所望のものを選択することになる。また、「不定形サイズ」に関する設定情報を設定しようとする場合には、「不定形サイズ」ボタンを選択すると、図８に示すようなポップアップ画面が現れる。この場合においては、転写紙Ｐの搬送方向（以下、縦方向という）及び該搬送方向に直交する方向（以下、横方向という）各々の長さを、図中テンキー状態にて示されている数字キーを通じ、直接入力することによって当該設定を行う。
【０１１５】
同様にして、「ワイド紙」ボタンを選択すると、図９に示すようなポップアップ画面が現れる。この場合においては、或る基準となる「定形サイズ」を選択し、その詳細なサイズを変更する場合は、「サイズ入力」ボタンを選択して、図１０に示すようなポップアップ画面から直接入力する。なお、この場合、「定形サイズ」からの差分値を入力（図中、上矢印マークと下矢印マークのアイコンを押圧）することにより行ってもよい。また、図９中最右方においては、当該ワイド紙上に形成されるべき画像を、その転写紙Ｐの「先端」（すなわち転写紙Ｐの上辺）に位置合わせさせるか、あるいは中央に位置合わせさせるか（センタリング）についての設定を行う。この点については、後述の「画像制御条件」について説明する際に、改めて触れる。
【０１１６】
さて、本実施形態においては、上記サイズに関する設定の他、種別に関する設定を行い得る。その場合においては、図５中、設定を行おうとする給紙カセット４１を選択したのち、収納されている転写紙の種別に該当するアイコン（例えば、「普通紙」、「厚紙１」、「薄紙」、「タブ紙」等）を押圧することによって、上記サイズ設定に併わせ、種別に関する設定も、各々の給紙カセット４１毎に行うことができる。
【０１１７】
一方、外部給紙手段４１Ｌに関しては、上述したように、種別に関しては、給紙カセット４１と同様に、操作・表示部８１から行うことができ、サイズに関しては、サービスマンによる不揮発設定による設定情報の入力を行う。なお、既に述べたように、外部給紙手段４１Ｌについては、設定情報の変更を頻繁に行うことが一般に考えられないから、その入力作業は、サービスマンによる不揮発設定を介する場合に限定する形態としておくことが好ましいともいえよう。
【０１１８】
以上のようにして、各給紙カセット４１及び外部給紙手段４１Ｌについて設定された種別・サイズ等の設定情報は、図３に示した記憶手段８３において、給紙カセット４１や外部給紙手段４１Ｌの各々との対応がとられつつ記憶されることになる。
【０１１９】
なお、このような設定情報の設定（入力）作業は、実際の複写に関する一切の操作を行う前に予め行っておくのが通常である。そして、本実施形態においては、一旦設定した上は、その設定情報をそのまま使用して日常の画像形成装置の動作を実施することが可能である。すなわち、設定された情報は、装置本体の電源をＯＦＦとしても、各給紙カセット４１等に係る設定情報が不揮発の記憶手段８３に記憶・保持され、再び電源を立ち上げたときには、電源ＯＦＦ前の設定情報をそのまま使用することができる。このようにすることで、一々、設定情報の入力作業を行わなければらないといった不具合を回避することができ、かつ操作の連続性が保たれることとなるから、使用者の便宜に供することとなる。すなわち、以上のような手段によれば、使用者の過失により、設定情報をうっかり消失するといった事態を未然に防ぐことが可能となる。
【０１２０】
ただし、画像形成装置の運用途中（例えば、電源がＯＮされていて、かつ、画像形成を行っていない場合）に、上記操作・表示部８１あるいは不揮発設定により、一旦設定したものを、変更することは言うまでもなく当然に可能である。
【０１２１】
そして、使用者が実施に複写を開始するにあたり、まず、ＪＯＢの設定作業がなされる（図１９のＳ１）。この設定作業は、例えば、図４に示すように、エリア８１１では複写完了後の転写紙Ｐ出力形態、特に上述した複写後処理部７０に関する指定を行い、エリア８１２では画像読取部１０における自動両面原稿搬送部１００及び画像形成の状態（原稿Ｓ及び転写紙Ｐをそれぞれ両面か片面か）を設定するようになっている。また、エリア８１３では複写（画像形成）濃度を、エリア８１４では複写倍率を、８１ａでは画像形成する転写紙Ｐの選択を、エリア８１５では図示するような各種応用設定を行うようになっている。
【０１２２】
設定が完了すると、図示しないコピー開始ボタンの押圧により、複写（画像形成）が開始される（Ｓ２）。このとき、当該ＪＯＢで使用する給紙カセット４１或いは外部給紙手段４１Ｌに、上述した転写紙の種別の設定画面において設定された「種別」を取得する（Ｓ４）。そして、表２に例示したように、プロセス条件等の制御条件が、使用する給紙カセット４１あるいは外部給紙手段４１Ｌに設定された「種別」に合わせられる（Ｓ５）。
【０１２３】
なお、このとき、表２や表４で示されるように、当該「種別」で禁止されているモード、機能等が、Ｓ１のＪＯＢ設定で設定されていれば、それを禁止するとともに、操作・表示部８１に警告表示を行い、画像形成を中止する。
【０１２４】
次いで、選択された（使用する）給紙カセット４１或いは外部給紙手段４１Ｌに、上述した転写紙のサイズの設定画面で設定された「サイズ」を取得する（Ｓ６）。このとき、「定形サイズ」が選択されていれば、サイズ検知手段４３の情報を読み取り、当該転写紙が、複数の定形サイズのうちいずれの定形サイズに該当するかを検出する。そして、「定形特殊サイズ」が選択されている場合と同様に、不揮発性メモリ８２に記憶された、各サイズ制御仕様に基づく、搬送条件が設定され（Ｓ７）、その搬送条件及びＳ５で合わせられた制御条件で、画像形成を開始する（Ｓ８）。一方、「不定形サイズ」及び「ワイド紙」が選択されていた場合は、上述したように、近似定形サイズ（定形サイズ）に定められている搬送条件を参照しつつ、補正値αを加味して、搬送条件が設定され（Ｓ７）、その搬送条件及びＳ５で合わせられた制御条件で、画像形成を開始する（Ｓ８）。そして、予定枚数の画像形成が終了すれば（Ｓ４）、画像形成が終了する。
【０１２５】
ところで、本実施の形態では、管理者が、給紙カセット４１等に転写紙のサイズを設定（「定形特殊サイズ」、「不定形サイズ」、「ワイド紙」を設定）するように構成しているので、この管理者の設定が誤って設定した場合、搬送系の異常（例えば、ジャム）をきたす恐れがある。一方で、本実施の形態の画像形成装置は、給紙カセット４１内に収納されている転写紙のサイズを検出するサイズ検出手段４３を備えている。そこで、このサイズ検出手段４３を利用して、上述のような不都合をできる限り防ぐことができる。すなわち、「設定モード」が選択されている場合において、設定されたサイズと、サイズ検出手段４３で検出されるサイズとが対応しない場合は、警告を発し（例えば、走査・表示部８１に表示したり、警告音を発するなど）た上で、画像形成を禁止する、或いは、サイズ検出手段４３で検出されるサイズに応じた制御条件で画像形成を行わせればよい。さらに、具体的に言えば、サイズ検出手段４３は、中央制御手段Ｃとともに、複数の定形サイズのうちいずれかの定形サイズを検出する定形サイズ検出部となっているので、設定された非定形サイズ（この場合、少なくとも長さ方向の長さがわかっていればよい）と対応しない定形サイズが、定形サイズ検出部で検出された場合は、警告を発した上で、画像形成を禁止したり、或いは、「検出モード」、すなわち、検出された定形サイズに応じた制御条件で画像形成を行わせる。ここで、「非定形サイズに対応しない定形サイズを検出した」とは、少なくとも、縦方向（長さ方向）において、定形サイズ検出部が、非定形サイズより大きい定形サイズのうち最も小さい定形サイズ以外の定形サイズを検出した場合、または、非定形サイズより小さい定形サイズのうち最も大きい定形サイズ以外の定形サイズを検出した場合である。
【０１２６】
また、本実施の形態の画像形成装置においては、図６のように「定形サイズ」が選択された場合は、定形サイズ検出部によって検出されたサイズに応じた制御条件で画像形成を行う「検出モード」が選択され、図７〜図１０のように「定形特殊サイズ」、「不定形サイズ」及び「ワイド紙」が選択された場合は、設定された情報に応じた制御条件で画像形成を行う「設定モード」が選択されたことになる。すなわち、本実施の形態の画像形成装置は、「検出モード」と「設定モード」との２つのモードを有しており、そのいずれか一方を、操作・表示部８１によって選択することができるように構成している。しかしながら、この「検出モード」、「設定モード」のいずれか一方を選択するのを、図６〜図１０のような設定画面で行うのではなく、別途、選択できるように構成してもよい。例えば、管理者設定モードの中であって、給紙カセット４１の「サイズ」を設定する画面以外の画面で、両者いずれか一方選択できるようにしていてもよい。
【０１２７】
この場合、「設定モード」選択されているにもかかわらず、図７〜図１０のサイズ設定画面で、給紙カセット４１にサイズが設定されていない場合は、「設定モード」ではなく、「検出モード」で画像形成するようにすればよい。
【０１２８】
さらに、上記不一致が存在する場合については、いま述べたように「検出モード」の運転実施によりその解決をみる方法も有効であるが、それ以前に、そのような転写紙Ｐの収納がなされ、転写紙のサイズが入力された時点において、サイズ検知手段４３からの情報を参照し、前記操作・表示部８１において、警告表示を行うような形態としてもよい。このようにすることで、設定情報と実際の状況との不一致を予め回避することができる。
【０１２９】
ところで、上述した本実施の形態においては、給紙カセット４１内の転写紙Ｐのサイズを検出するサイズ検出手段４３のみを設けた場合について説明してきたが、同様に、転写紙Ｐの種別を検出する種別検出手段を、各給紙カセット４１毎に設けてもよい。たとえば、この種別検知手段としては、給紙カセット４１内に収納されている転写紙Ｐの導電度、表面粗さ、色、透過度などを検出し、ここで得られた情報は、中央制御手段Ｃに入力され、中央制御手段Ｃで得られた情報に基づいて、転写紙Ｐの種別を判断するように構成させることができる。
【０１３０】
次に、手差トレイ４１Ｈを利用した画像形成に関する作用について説明する。この手差トレイ４１Ｈを利用した複写は、「設定モード」による運転の特別な場合に該当する。
【０１３１】
手差トレイ４１Ｈについては、既に述べたように、給紙カセット４１等と同様に、「種別」および「サイズ」の設定情報を設定することが可能である。本実施形態において特に重要なのは、この手差トレイ４１Ｈを利用することによって、「臨時の」複写実施に対応することが可能となる点にある。
【０１３２】
すなわち、給紙カセット４１及び外部給紙手段４１Ｌについては、通常、上記したような設定情報が付属され、それに一致する転写紙Ｐが収納されて使用されることが想定されている。しかしながら、入力された上記設定情報のいずれにも該当しない種別あるいはサイズとなる転写紙Ｐに対して、臨時に、複写を実施したいような場合がある。このような場合に、本実施形態においては、手差トレイ４１Ｈを利用することが有効である。
【０１３３】
手差トレイ４１Ｈを利用する使用者は、まず画像形成を行おうとする転写紙Ｐに関し、その種別ないしサイズを確認し、転写紙Ｐを手差トレイ４１Ｈ上に載置するか、操作・表示部８１に表示された基本画面（図４）におけるエリア８１ａの手差トレイ４１Ｈのボタンを押圧することにより、上述した手差設定画面（図１１〜図１４）が操作・表示部８１に表示される。この手差設定画面は、上述したように、基本的には、給紙カセット４１における「種別」及び「サイズ」の設定画面（図５〜図１０）と同等なものである。しかしながら、給紙カセット４１における設定画面は、上述したように、管理者でなければ設定することができない、管理者設定モード下における設定であるのに対し、手差トレイ４１Ｈの手差設定画面は、管理者でなくとも、すなわち、一般の使用者であっても、設定できるようになっている。
【０１３４】
そして、上述したように、手差トレイ４１Ｈに載置された（或いは、載置される）転写紙Ｐの設定が完了すると、図４の基本画面に戻る。このとき、基本画面の手差トレイ４１Ｈに相当する部分には、設定された「種別」及び「サイズ」が表示されている。すなわち、この設定が完了すると、図４の基本画面におけるエリア８1aに、図２０に示すような画面が表示され、手差トレイ４１Ｈに、種別及びサイズに関する「特殊紙設定」がなされたことが表示される。なお、図２０の場合では、その一例として、「Ｂ４厚紙」なる設定が行われたことが示されている。そして、この基本画面でＪＯＢの設定を行う（図１９におけるＳ１）。その後、上述した図１９のフローと同様に、手差トレイ４１Ｈ上から転写紙が給紙されて、画像形成がなされる。
【０１３５】
なお、手差トレイ４１Ｈに対して、新たな設定情報が入力されるまで、上記手差トレイ４１Ｈに関して一旦行った設定情報が不揮発メモリ８２に保存されるとしてもよいし、一定時間の経過を待って、自動的に元の状態に復帰するようなものとしてもよい。
【０１３６】
このように手差トレイ４１Ｈに関して設定情報の設定を行い得るような構成とすることで、単発の使用者に対応することができるのみならず、如何なるユーザーに対しても、特殊紙や非定形紙上に画像形成を行うことができる。
【０１３７】
以上説明したように、本実施形態における画像形成装置によれば、給紙カセット４１及び外部給紙手段４１Ｌ毎に、「種別」及び「サイズ」に関する情報から構成される設定情報を設定でき、操作・表示部８１を通じた直接の入力によって若しくはＡＰＳ機能等によって、これら給紙カセット４１等が選択されると、当該給紙カセット４１等に設定されている設定情報に基づいて、制御条件が自動的に選択・決定され、当該制御条件の適用を受けて画像形成装置の運転が実現されることになるから、如何なる種別ないしサイズとなる転写紙Ｐであっても、非常に容易に、それに対する複写を実施することができる。この点、従来において、特別な種別ないしサイズとなる転写紙Ｐにつき複写を行おうとする場合には、「モード設定」等の煩雑な操作を経た後でなければ当該複写を行うことができなかった点に比べ、本実施形態における画像形成装置は、その操作性が各段に向上しているということができる。
【０１３８】
ちなみに、このような本実施形態に係る画像形成装置における効果は、例えば、いわゆる「インターシート方式」による複写を実施する場合において特に明瞭に発揮される。「インターシート方式」による複写とは、たとえばある原稿Ｓ群について、複数枚の「Ａ４普通紙」に対する複写を実施しかつこれを積層しつつ、その途中に「Ａ４厚紙」や「非定形サイズ・色紙」に対する複写を単発的かつ定期的に行うような複写方式である。ここに、「その途中」にあたる「Ａ４厚紙」は、たとえば装丁完了時の「表紙」又は「背表紙」に、同じく「非定形サイズ・色紙」は、たとえば装丁完了時の「綴じ込み用紙」に、等とされることになる。
【０１３９】
本実施形態における画像形成装置においては、上記のような例の複写・装丁に対応するため、たとえば給紙カセット４１１に「Ａ４普通紙」、給紙カセット４１２に  「Ａ４厚紙」、給紙カセット４１３  に「不定形サイズ・色紙」の設定情報を設定させておけば、これを完全に自動的に実施することができる。すなわち、このような場合において、画像形成装置の制御条件は、通常時、「Ａ４普通紙」に関する制御条件が選択・適用されるのに対し、「インターシート実施」にあたり、給紙カセット４１２が選択されるときには、その給紙カセット４１２に設定されている設定情報に基づき、自動的に、対応する制御条件が選択・決定されて適用されることになるからである。
【０１４０】
このように、本実施形態における画像形成装置においては、複数の種別若しくはサイズの転写紙が混在する複雑な調本作業を、繁雑な操作を全く必要とせずに、完全自動で実施することができるのである。
【０１４１】
また、本実施形態においては、手差トレイ４１Ｈについての、その都度、設定情報入力を可能とすることによって、上記給紙カセット４１及び外部給紙手段４１Ｌに設定されていない種別ないしサイズとなる転写紙Ｐに対する臨時複写を機動的に実施することができる。
【０１４２】
なお、上記実施形態では、画像形成装置として主に複写装置を念頭に置いた説明を行ったが、本発明はこの形態に限定されるものではない。すなわち、画像形成装置として、パソコン等に付設されるプリンタ、あるいはファクシミリ等を想定し、これらにより想念される実施形態も本発明の範囲内である。また、画像形成装置、プリンタ、及びファクシミリの機能を合わせ持つ、いわゆる「複合機」についても当然に本発明の範囲内である。
【０１４３】
また、上記実施形態における各給紙カセット４１等に対し設定される設定情報は、「種別」及び「サイズ」により構成されるようなものとなっていたが、本発明はこのような形態に限定されるものではない。例えば、転写紙Ｐの保存状態、より具体的には、長期間放置されたことによる湿気の含み具合等を勘案し、これによって制御条件を変更するべく、当該「保存状態」なる概念を、上記したような設定情報に含めるようにしてもよい。例えば、上記「湿気」に関して言えば、その含み具合の相違に応じて、転写紙搬送部４０における送り出し速度を変更する、等の制御条件を加味するようなケースを考えることができる。
【０１４４】
さらに、上記では、操作・表示部８１を、「種別」及び「サイズ」を設定する入力部として、また、「検知モード」と「設定モード」との選択を行う選択部として、設けられているが、本発明は、このような形態に限定されるものではない。たとえば画像形成装置が、ＬＡＮ等、何らかのネットワークに接続されている場合にあっては、該ネットワーク上にあるコンピュータにより、通信を介して操作・入力・設定・選択等が実施されるような形態も可能であり、この場合、入力部或いは選択部は画像形成装置がネットワークに接続される部分（ネットワークインターフェース、或いは、プリントコントローラ部）となり、コンピュータは設定部となる。
【０１４５】
また、原稿Ｓのサイズは、本実施形態の画像形成装置においては、画像読取部１０における原稿サイズ検知手段（光学式原稿サイズセンサ１８及びＲＡＤＦ用原稿サイズ検知部）により検知されるようになっていたが、これについても、画像形成装置が上記したようなネットワークに接続されている場合であって、該ネットワークを介してコンピュータから画像データが送信される場合には、該画像データを「原稿」とみなすことにより、そのサイズを「原稿サイズ」に該当させるような構成とする形態としてもよい。このような場合は、画像形成装置として、上記ファクシミリを想定する場合には、むしろより自然な形態である。
【符号の説明】
【０１４６】
１０  画像読取部
２０  画像書込部
３０  画像形成部
４０  転写紙搬送部
４１    給紙カセット（記録材収納手段）
４１Ｈ  手差トレイ
４１Ｌ  外部給紙手段
４３  サイズ検知手段
５０  転写紙排紙部
６０  転写紙反転部
７０  複写後処理部
８１  操作部・表示部（入力部）
８２  不揮発メモリ
８３  記憶手段
Ｃ  中央制御手段
Ｐ  転写紙
【図１】
2011037273.tif 000007
【図２】
2011037273.tif 000008
【図３】
2011037273.tif 000009
【図４】
2011037273.tif 000010
【図５】
2011037273.tif 000011
【図６】
2011037273.tif 000012
【図７】
2011037273.tif 000013
【図８】
2011037273.tif 000014
【図９】
2011037273.tif 000015
【図１０】
2011037273.tif 000016
【図１１】
2011037273.tif 000017
【図１２】
2011037273.tif 000018
【図１３】
2011037273.tif 000019
【図１４】
2011037273.tif 000020
【図１５】
2011037273.tif 000021
【図１６】
2011037273.tif 000022
【図１７】
2011037273.tif 000023
【図１８】
2011037273.tif 000024
【図１９】
2011037273.tif 000025
【図２０】
2011037273.tif 000026
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部における基本画面に表示された手差トレイに相当する部分の押圧により表示される手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
前記手差設定画面から非定形記録材のサイズ情報と記録材の種別情報とが入力された後に前記基本画面に戻ると、前記基本画面に表示された前記手差トレイに相当する部分に、前記手差設定画面から入力された非定形記録材の前記サイズ情報と前記記録材の種別情報とを表示すべく前記操作・表示部を制御する制御手段と、を有し、
前記手差トレイに載置された非定形記録材に対して画像形成を行う際、前記手差設定画面から入力された前記サイズ情報及び前記記録材の種別情報に応じて画像形成が行われることを特徴とする画像形成装置。
【請求項２】
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部に表示された手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
ＪＯＢの設定に際して前記操作・表示部に表示された前記手差トレイに相当する部分が押圧されると、前記手差トレイに対応づけて前記不揮発メモリに記憶されている前記サイズ情報及び前記記録材の種別情報に応じた画像形成を行うべく前記画像形成部を制御する制御手段と、
を有することを特徴とする画像形成装置。
【請求項３】
前記手差トレイに対応づけて前記不揮発メモリに記憶された前記サイズ情報及び前記記録材の種別情報は、前記サイズ情報入力手段又は前記種別入力手段により新たなサイズ情報又は記録材の種別情報が入力されるまで、前記不揮発メモリに保存され続けることを特徴とする請求項１又は２に記載の画像形成装置。
【手続補正２】
【補正対象書類名】明細書
【補正対象項目名】００１０
【補正方法】変更
【補正の内容】
【００１０】
本発明の目的は下記の発明により達成される。
１．
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部における基本画面に表示された手差トレイに相当する部分の押圧により表示される手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
前記手差設定画面から非定形記録材のサイズ情報と記録材の種別情報とが入力された後に前記基本画面に戻ると、前記基本画面に表示された前記手差トレイに相当する部分に、前記手差設定画面から入力された非定形記録材の前記サイズ情報と前記記録材の種別情報とを表示すべく前記操作・表示部を制御する制御手段と、を有し、
前記手差トレイに載置された非定形記録材に対して画像形成を行う際、前記手差設定画面から入力された前記サイズ情報及び前記記録材の種別情報に応じて画像形成が行われることを特徴とする画像形成装置。
２．
記録材上に画像を形成する画像形成装置において、
操作部及び表示部が一体となった操作・表示部と、
非定形記録材を載置可能な手差トレイと、
前記手差トレイに載置された非定形記録材に対して画像を形成する画像形成部と、
前記操作・表示部に表示された手差設定画面から、非定形記録材の長さ及び幅に関するサイズ情報が入力されるサイズ情報入力手段と、
前記手差設定画面から、選択可能な普通紙及び特殊紙に関する記録材の種別が選択されることにより、記録材の種別情報が入力される種別入力手段と、
前記サイズ情報入力手段により入力されたサイズ情報及び前記種別入力手段により入力された記録材の種別情報を、前記手差トレイに対応づけて記憶する不揮発メモリと、
ＪＯＢの設定に際して前記操作・表示部に表示された前記手差トレイに相当する部分が押圧されると、前記手差トレイに対応づけて前記不揮発メモリに記憶されている前記サイズ情報及び前記記録材の種別情報に応じた画像形成を行うべく前記画像形成部を制御する制御手段と、
を有することを特徴とする画像形成装置。
３．
前記手差トレイに対応づけて前記不揮発メモリに記憶された前記サイズ情報及び前記記録材の種別情報は、前記サイズ情報入力手段又は前記種別入力手段により新たなサイズ情報又は記録材の種別情報が入力されるまで、前記不揮発メモリに保存され続けることを特徴とする前記１又は２に記載の画像形成装置。